(57)【要約】      （修正有）【課題】釣銭の供給をミスなくできるようにすること。【解決手段】インターフェース、プロセッサ、メモリ、入力手段、出力手段を具備した釣銭封入システムにおいて、各店舗からの、指定された日に必要とされる釣銭の金種別金額の指示情報を前記入力手段を介して受け、前記メモリに書き込む手段と、前記メモリに書き込まれた指示情報を読み取り、該情報が指標する店舗名及び／又は必要日付に関する第１の情報を釣銭封入容器に付加する手段と、前記メモリに書き込まれた指示情報を読み取り、該情報が指標する店舗名及び／又は必要日付に関する第２の情報を金員パックに付加する手段と、前記第１及び第２の情報を照合する手段とを具備する。【選択図】図１
2014228981.tif 000002
【特許請求の範囲】
【請求項１】
インターフェース、プロセッサ、メモリ、入力手段、出力手段を具備した釣銭封入システムにおいて、
各店舗からの、指定された日に必要とされる釣銭の金種別金額の指示情報を前記入力手段を介して受け、前記メモリに書き込む手段と、
前記メモリに書き込まれた指示情報を読み取り、該情報が指標する店舗名及び／又は必要日付に関する第１の情報を釣銭封入容器に付加する手段と、
前記メモリに書き込まれた指示情報を読み取り、該情報が指標する店舗名及び／又は必要日付に関する第２の情報を金員パックに付加する手段と、
前記第１及び第２の情報を照合する手段と
を具備することを特徴とする釣銭封入システム。
【請求項２】
釣銭封入容器の位置を検知する手段をさらに備えることを特徴とする請求項１記載の釣銭封入システム。
【請求項３】
釣銭の位置を検知する手段をさらに備えることを特徴とする請求項１記載の釣銭封入システム。
【請求項４】
釣銭封入容器の扉を閉める手段をさらに備えることを特徴とする請求項１記載の釣銭封入システム。
【請求項５】
釣銭封入容器の扉の鍵を閉める手段をさらに備えることを特徴とする請求項１記載の釣銭封入システム。
【請求項６】
インターフェース、プロセッサ、メモリ、入力手段、出力手段を具備した釣銭封入システムにおいて、
各店舗からの、指定された日に必要とされる釣銭の金種別金額の指示情報を前記入力手段を介して受け、前記メモリに書き込む手段と、
前記メモリに書き込まれた指示情報を読み取り、該情報が指標する店舗名及び／又は必要日付に関する第１の情報を釣銭封入容器に付加する手段と、
前記メモリに書き込まれた指示情報を読み取り、該情報が指標する店舗名及び／又は必要日付に関する第２の情報を金員パックに付加する手段と、
前記第１及び第２の情報を照合する手段と、
釣銭封入容器の位置を検知する手段と、
釣銭の位置を検知する手段と、
一定の空間または時間内に封入容器と釣銭が存在することを判断する手段と
を備えていることを特徴とする釣銭封入システム。
【発明の詳細な説明】
【技術分野】
【０００１】
本発明は、釣銭作成管理装置、釣銭作成管理装置の制御方法、釣銭作成管理装置プログラム及び記録媒体に関する。
【背景技術】
【０００２】
従来、スーパーマーケット、コンビニエンスストアにおいては、たとえ大規模な事業展開であっても釣銭は事業者が各店舗で必要な分を自前で用意するのが原則で、そのためには釣銭の回収、勘定、釣銭パック作成等多大な労力を必要とした。
【０００３】
特に、最終的な釣銭輸送用の容器に作成した釣銭を納める作業は、人手に頼っていたため、作業ミスが発生しやすかった。特開平０９―１４７１８４号公報によれば、釣銭を容器に納める作業については考慮されているが、作業が正しく行われているかどうか検証する手段への配慮はなされていなかった。
【先行技術文献】
【特許文献】
【０００４】
【特許文献１】特開平０９―１４７１８４号公報
【発明の概要】
【発明が解決しようとする課題】
【０００５】
本願はこうした従来技術上の問題点を解決することを企図したもので、釣銭の供給をスピーディにミスなくできるようにすることを目的とする。
【課題を解決するための手段】
【０００６】
上記課題を解決するため、本願においては、スーパーマーケット、コンビニエンスストア等の各店舗から、指定された日に必要とされる釣銭の金種別金額の指示を受けると、および／もしくは、システム等により事前予測された指示を受けると、指定されたスーパーマーケットの店舗名、日付等を示す情報を容器に付加するとともに、貨幣側にも容器と同様の情報を付加し、容器に納める際に両者の整合を取ってから、指定した店舗へ送る。
【０００７】
そのために、店舗名、日付等を示す第１情報と、貨幣側に付される第２情報とを、たとえばコードの照合などでシステム的に照合することで、人為的なミスの発生の余地をなくし、つり銭供給を正確で迅速に実現する。
【０００８】
本願の一態様においては、インターフェース、プロセッサ、メモリ、入力手段、出力手段を具備した釣銭封入システムにおいて、各店舗からの、指定された日に必要とされる釣銭の金種別金額の指示情報を前記入力手段を介して受け、前記メモリに書き込む手段と、前記メモリに書き込まれた指示情報を読み取り、該情報が指標する店舗名及び／又は必要日付に関する第１の情報を釣銭封入容器に付加する手段と、前記メモリに書き込まれた指示情報を読み取り、該情報が指標する店舗名及び／又は必要日付に関する第２の情報を金員パックに付加する手段と、前記第１及び第２の情報を照合する手段とを具備する。
【０００９】
店舗名及び／又は必要日付に関する第１の情報を釣銭封入容器に付加する手段、店舗名及び／又は必要日付に関する第２の情報を金員パックに付加する手段としては、たとえば、バーコード、ＱＲコード（登録商標）、ＡＲコード（登録商標）、ホログラム等のコードでもよく、或いはＲＦ／ＩＤ等によってもよい。また、「金員パック」とは、用途・目的を問わず、金員を一定量まとめてパッキングした形態にしたものを意味し、つり銭パックを含む概念である（以下同じ）。
【００１０】
こうした構成を備えることで、釣銭封入容器と金員パックとでそれぞれが納まるべき店舗名及び／又は必要日付に関する情報を別個に物理的に付着することが可能となる。よって、第１及び第２の情報同士を照合すれば、所望の店舗及び／日付に所望の金員パックを運送できることに繋がる。
【００１１】
上記の構成において、釣銭封入容器の位置を検知する手段をさらに備えることで、釣銭封入容器が所定の位置に到着したことを確認した上で所望の金員パックを自動収容し自動施錠するシステム化が可能となる。
【００１２】
上記の構成において、金員パックの位置を検知する手段をさらに備えることで、金員パックが所定の位置に到着したことを確認した上で対応する釣銭封入容器に自動収容し自動施錠するシステム化が可能となる。
【００１３】
上記の構成において、釣銭封入容器の扉を閉める手段をさらに備えることで、対応関係の確認がとれた、金員パックが収容された釣銭封入容器が封印できるため、搖動等によって金員パックが釣銭封入容器から飛び出たりして紛失やほかの容器に混入する等のアクシデントを防ぐことが可能となる。
【００１４】
上記の構成において、釣銭封入容器の扉の鍵を閉める手段をさらに備えることで、金員パックが収容された釣銭封入容器が施錠できるため、盗難、紛失等を防止することが可能となる。
【００１５】
本願の別の一態様においては、インターフェース、プロセッサ、メモリ、入力手段、出力手段を具備した釣銭封入システムにおいて、各店舗からの、指定された日に必要とされる釣銭の金種別金額の指示情報を前記入力手段を介して受け、前記メモリに書き込む手段と、前記メモリに書き込まれた指示情報を読み取り、該情報が指標する店舗名及び／又は必要日付に関する第１の情報を釣銭封入容器に付加する手段と、前記メモリに書き込まれた指示情報を読み取り、該情報が指標する店舗名及び／又は必要日付に関する第２の情報を金員パックに付加する手段と、前記第１及び第２の情報を照合する手段と、釣銭封入容器の位置を検知する手段と、釣銭の位置を検知する手段と、一定の空間または時間内に封入容器と釣銭が存在することを判断する手段とを備える構成とすることができる。
【００１６】
こうした構成を備えることで、釣銭封入容器と金員パックとでそれぞれが納まるべき店舗名及び／又は必要日付に関する情報を別個に物理的に付着した上で、第１及び第２の情報同士を照合ができ、また、一定の空間または時間内に封入容器と釣銭が存在することが判断所望できることで、より正確で、誤配布のない釣銭封入システムが実現される。
【発明の効果】
【００１７】
本願発明によれば、各店舗から、指定された日に必要とされる釣銭の金種別金額の指示を受けると、指定されたスーパーマーケットの店舗名、日付等を示す情報を容器に付加するとともに、貨幣側にも容器と同様の情報を付加し、容器に納める際に両者の整合を取ってから、指定した店舗へ送るため、正確でミスのない釣銭供給が可能となる。
【図面の簡単な説明】
【００１８】
【図１】本発明の一実施形態に係る釣銭封入システムの全体ブロック図である。
【図２】本発明の一実施形態に係る釣銭封入システムのブロック図である。
【図３】本発明の一実施形態に係る釣銭封入システムのライン入力制御部のブロック図である。
【図４】本発明の一実施形態に係る釣銭封入システムのライン出力制御部のブロック図である。
【図５】本発明の一実施形態に係る釣銭封入システムの釣銭封入容器概略図である。
【図６】本発明の一実施形態に係る釣銭封入システムの稼動部分概略図である。
【図７】封入データテーブルである。
【図８】釣銭封入容器ＩＣタグのデータテーブルである。
【図９】釣銭パックバーコード１と２のデータテーブルである。
【図１０】本発明の一実施形態に係る釣銭封入システムの処理全体を示すフローチャートである。
【図１１】釣銭パック整列処理を示すフローチャートである。
【図１２】釣銭パック投入処理を示すフローチャートである。
【発明を実施するための形態】
【００１９】
以下、図面を参照して、本発明の一実施形態について説明する。
【００２０】
図１は、本発明の一実施形態に係る釣銭封入システムの全体構成を示すブロック図である。本システムは中央制御システム１０、釣銭封入システム２０、釣銭封入容器送出システム３０、釣銭パック送出システム４０、釣銭封入容器出荷システム５０を備えてなる。
【００２１】
中央制御システム１０は、スーパーマーケット、コンビニエンスストア等各店舗の釣銭に関する情報を取得し、これに従って、釣銭封入システム２０、釣銭封入容器送出システム３０、釣銭パック送出システム４０、釣銭封入容器出荷システム５０の各システムに指示を行い、所定の釣銭を所定の場所、日付に出荷するのを指示・補助する機能を備えている。
【００２２】
釣銭封入容器送出システム３０は、中央制御システム１０からの指示に従い各店舗から回収、または新規作成した釣銭封入容器に指定店舗および指定日付等の情報を、釣銭封入容器に取り付けた例えばＩＣタグに情報記憶させ、コンベア等に乗せて釣銭封入システム２０へ送出する。かかる情報には指定店舗、指定日付の他、フロア情報、レジ番号／位置情報、係員情報、店舗内種別情報等、各種情報も含み得る。
【００２３】
釣銭パック送出システム４０では、中央制御システム１０からの指示に従い、指定された店舗の指定された日に必要とされる釣銭を、包装硬貨（棒金）など金種別に金額を揃えた上に、例えば真空パックして、コンベア等に乗せて釣銭封入システム２０へ送出する機能を備えている。このとき、釣銭を包むパックには、例えばバーコードによって店舗名、日付等の情報を明記する。かかる情報には指定店舗、指定日付の他、フロア情報、レジ番号／位置情報、係員情報、店舗内種別情報等、各種情報も含み得る。
【００２４】
釣銭封入システム２０は、中央制御システム１０からの指示に従い、ＩＣタグに書き込まれた、例えば指定された店舗の、指定された日付に合致する釣銭パックを釣銭封入容器に封入し、コンベア等に乗せて釣銭封入容器出荷システム５０へ送出する機能を備えている。
【００２５】
釣銭封入容器出荷システム５０は、中央制御システム１０からの指示に従い、釣銭封入システム２０から送られた釣銭封入容器を、指定された日付に指定された店舗へ出荷する機能を備えている。
【００２６】
以上、本発明の一実施形態の概要を示したが、次に、本発明の詳細について説明する。
【００２７】
図２に本発明の一実施形態の主要部分である釣銭封入システム２０の構成を示す。釣銭封入システム２０は、プロセッサ２０１、メモリ２０２、入力部２０３、出力部２０４、インターフェース２０５を備えて構成される。プロセッサ２０１は、釣銭封入システム２０を制御し、メモリ２０２はプロセッサ２０１の記憶部であり、入力部２０３は、釣銭封入システムの各部から送られる情報を収集しプロセッサ２０１へと送る。プロセッサ２０１から釣銭封入システムの各部に送られる制御情報は、出力部２０４を経由して各部へ送られる。
【００２８】
インターフェース２０５は、中央制御システム１０と釣銭封入システム２０との間の情報交換を行う。
【００２９】
次に、図３に従って入力部２０３の詳細を説明する。入力部２０３は、各入力情報をまとめてプロセッサ２０１へ送る釣銭封入ライン入力制御部２０３１、ＲＦＩＤで読み取った情報を収集するＲＦＩＤリーダ部２０３２、バーコードリーダで読み取った情報を収集するバーコードリーダ部２０３３、釣銭封入ライン各所に設置されたセンサからの情報を収集するセンサリーダ部２０３４の各部を具備してなる。
【００３０】
次に、図４に従って出力部２０４の詳細を説明する。出力部２０４は、プロセッサ２０１からの各出力情報を分岐する釣銭封入ライン出力制御部２０４１、ラインのモータ等を駆動するライン駆動部２０４２、ゲートを制御するゲート制御部２０４３、釣銭封入容器を釣銭封入容器出荷システム５０へ送る釣銭封入容器送出部２０４４、ＲＦＩＤで書き込む情報を送るＲＦＩＤライタ部２０４５の各部を具備してなる。
【００３１】
次に、図５、図６に従って、釣銭封入システムの詳細な動作について説明する。図５に釣銭封入容器２５０を示す。釣銭封入容器２５０は、釣銭封入容器本体２５０１、釣銭封入容器扉２５０２、釣銭出入口２５０３、扉錠２５０２１を具備してなる。また、釣銭封入容器本体２５０１には、ＩＣタグ２５０４とＩＣタグ内の情報の一部、例えば社名、店舗名を文字等、確認できるよう表記したラベル２５０５が貼り付けられている。なお、ラベル２５０５の表示例をラベル表示２５０５１に示す。
【００３２】
釣銭封入容器２５０は、釣銭封入容器送出システム３０から釣銭封入システム２０にコンベア等により送られてくるが、このとき釣銭封入容器扉２５０２は開いているものとする。次に、釣銭封入容器２５０に釣銭パックを封入する一連の動作について、図６に従って説明する。
【００３３】
釣銭封入容器２５０は、トレー６１に乗せられており、ライン駆動部２０４２から送られる情報に従って封入台６２へ送られる。このとき、ＲＦＩＤ読み取り部６７において、釣銭封入容器２５０に貼り付けられたＩＣタグ２５０４に書き込まれた情報を読み取り、この情報はＲＦＩＤリーダ部２０３２および、釣銭封入ライン入力制御部２０３１を介してプロセッサ２０１へ送られる。封入台６２へ送られたトレー６１は、ストッパ６３に突き当たって停止する。このとき、釣銭パック投入部６４の先端が釣銭出入口２５０３の直上に位置するよう設定されているものとする。
【００３４】
封入台６２の下にＲＦＩＤ読み取り部（図示せず）が設置されていて、読み取ったＩＣタグ情報は、ＲＦＩＤリーダ部２０３２および、釣銭封入ライン入力制御部２０３１と介してプロセッサ２０１へと送られる。
【００３５】
プロセッサ２０１は、釣銭封入容器２５０が所定の位置に停止しているかどうか確認する。確認が取れると、プロセッサ２０１は、インターフェース２０５を介して中央制御システム１０へ知らせる。中央制御システム１０は釣銭パック送出システム４０に指示して釣銭パック６５を釣銭封入容器２５０へと移動させる。
【００３６】
釣銭パック投入部６４には、釣銭パックバーコード読み取り部６６があり、ここを通過した釣銭パック６５のバーコートを読み取る。読み取ったバーコード情報は、バーコートリーダ部２０３３および、釣銭封入ライン入力制御部２０３１と介してプロセッサ２０１へと送られる。
【００３７】
プロセッサ２０１は、封入台６２にある封入容器２５０に貼り付けられたＩＣタグ２５０４の情報と、釣銭パックバーコード読み取り部６６で読み取ったバーコードの情報とを照合し、一致していることを確認する。これにより、釣銭パック６５は釣銭パック投入部６４へ送られ、その先端から、直下の釣銭出入口２５０３から釣銭封入容器本体２５０１の内部に自動的に落下する。
【００３８】
一致が確認されると釣銭封入容器２５０は、トレー６１とともに封入台６２から釣銭封入容器出荷ライン５０１へ送られるが、封入台６２と釣銭封入容器出荷ライン５０１との間には、釣銭封入容器扉２５０２が開いた状態で干渉する高さに、釣銭封入容器扉を閉めるためのバー（図示せず）が設けられている。トレー６１がこのバーの下を通過するとき、釣銭封入容器扉２５０２を押し、扉が閉じられ、釣銭封入容器扉錠２５０２１が施錠される。あるいは、釣銭封入容器２５０のＩＣタグ２５０４を扉錠２５０２１と連動させ、プロセッサ２０１から釣銭封入ライン出力制御部２０４１、ＲＦＩＤライタ部２０４５を介して施錠の情報を送信して、この情報に基づいてＲＦＩＤ部２０４５で施錠するとともに、施錠されたことを、ＲＦＩＤライタ部２０４５からＲＦＩＤリーダ部２０３２、釣銭封入ライン入力制御部２０３１を介してプロセッサ２０１に送信し、施錠されたことを確認しても構わない。なお、施錠に必要とされる動力は、通常の磁気誘導等によるＲＦＩＤ部２０４５への電気的エネルギー補給と同等な技術によって成されるものとする。また、通常のエネルギー補給によっては施錠に伴う瞬間的なエネルギーが不足する場合には、コンデンサ、充電式蓄電池等により事前にエネルギーを蓄える手段を講じても構わない。
【００３９】
施錠された釣銭封入容器２５０は釣銭封入容器出荷ライン５０１を通過し、最終的に指定された場所へ出荷されるものとする。
【００４０】
次に、上記確認に関連して、釣銭封入容器２５０と釣銭パック６５との一致を確認する方法について説明する。中央制御システム１０は、釣銭封入容器２５０と、封入する釣銭パック６５に関する情報を、インターフェース２０５を介して釣銭封入システム２０へ送る。プロセッサ２０１は、中央制御システム１０から送られた情報を、メモリ２０２に格納するが、これを図７の封入データテーブル２０２１に従って説明する。
【００４１】
封入データテーブル２０２１は、中央制御システム１０から送られた情報に従ってプロセッサ２０１により作成される。封入データテーブル２０２１は、複数の封入容器に関する情報からなり、その一例を２０２１１に示す。２０２１１の番号欄２Ａ１には通し番号である「１」、年月日欄２A２には「１２／０８／２２」、企業名欄２A３には「ＡＢＣストア」、店舗名欄２A４には「三鷹店」、釣銭パック欄２A５のパック１欄２ＡＢ０１と関連するパック１確認欄２ＡＢ１１には「封入」、パック２欄２ＡＢ０１に関連するパック２確認欄２ＡＢ１２にも「封入」と書き込まれるが、これらは中央制御システム１０から送られた情報をそのまま格納している。
【００４２】
この釣銭パック欄２A５には、当該の釣銭封入容器に封入する釣銭パックに関する情報が格納されており、パック１確認欄２ＡＢ１１とパック２確認欄２ＡＢ１２に共に「封入」と格納されていることは、２つの釣銭パックを封入することを示している。さらに、２つ以上の釣銭パックを封入する場合には、パック３欄、パック４欄の釣銭パック確認欄に「封入」と格納するものとする（いずれも図示せず）。
【００４３】
上記釣銭パック欄２A５に格納される情報は、釣銭パック送出システム４０にも送られており、その内容に従って、釣銭パック送出システム４０は、釣銭パック６５を作成し、釣銭パック投入部６４へ送出するようになっている。
【００４４】
また、釣銭パック送出システム４０では、釣銭パック６５に釣銭パックの内容を示す情報をバーコード（図示せず）に書き込んでいるが、その記入情報例を図９に示す。２０１２年８月２２日に、ＡＢＣストアの三鷹店用に釣銭パック１と釣銭パック２を封入するものとすると、２つの釣銭パックが釣銭パック送出システム４０で作成され、それぞれの釣銭パック６５には、釣銭パックバーコード１の６５０１に示す通り、年月日欄に「１２／０８／２２」、企業名欄に「ＡＢＣストア」、店舗名欄に「三鷹店」、パック欄に「１」が書き込まれ、釣銭パックバーコード２の６５０２には、パック欄に「２」と書き込まれ、これ以外の欄には釣銭パックバーコード１と同一の内容が書き込まれている。
【００４５】
なお、釣銭封入容器のＩＣタグ２５０４には、図８に示す通り、年月日欄に「１２／０８／２２」、企業名欄に「ＡＢＣストア」、店舗名欄に「三鷹店」と書き込まれている。また、例えば三鷹店に２つ以上の釣銭封入容器が必要となった場合には、「三鷹店１」、「三鷹店２」のように、店舗名を追加するものとする。
【００４６】
次に、釣銭封入容器２５０に釣銭パックを封入するまでの一連の処理を図１０に従って説明する。中央制御システム１０より、釣銭封入容器送出システム３０、釣銭パック送出システム４０、釣銭封入システム２０へ釣銭出荷のために必要な情報を送付する（Ｓ１００１、Ｓ１００２、Ｓ１００３）。特に釣銭封入システム２０では送られた情報に基づき、図７に示す封入データテーブル２０２１をプロセッサ２０１にて作成し、メモリ２０２へ格納する。中央制御システム１０は、釣銭パック送出システム４０に送付した情報に基づき釣銭パック６５が作成されたかどうか確認を行う（Ｓ１００４）。なお、釣銭パック送出システム４０に送付される情報は、基本的に封入データテーブル２０２１と同じであるが、釣銭パック２A５のパック１欄２ＡＢ０１とパック２欄２ＡＢ０２に該当する欄には、さらにパックする金種と金額に関する情報が中央制御システム１０より釣銭パック送出システム４０へ送られており、これに従って金種毎に指定された金額だけ貨幣を数え、これらを一括してパックし、バーコードを付加する。バーコードに書き込まれている情報については、図９に示す通りである。
【００４７】
釣銭パック６５の作成が終了すると、釣銭パック６５は釣銭封入システム２０へと送付されるが、このとき、釣銭パックを封入する時間を短縮するために、予め釣銭パックを揃えておいてもよい。釣銭を詰める作業は、複数の封入容器に連続して行うのが通例であり、その場合、同一釣銭封入容器に封入される釣銭パックを予めまとめて用意しておいても、また複数の釣銭封入容器に封入する釣銭パックを前もって用意してもかまわない。なお、このときの処理の一例を図１１のフローチャートに示す。まず、複数の釣銭投入部（図示せず）のうち、空いているエリアを検出（Ｓ１１０１）し、この空きエリアのゲート（図示せず）を開き（Ｓ１１０２）、釣銭パックを注入できる状況にするとともに、釣銭パックの送出駆動部（図示せず）を作動させ（Ｓ１１０３）、当該の空きエリアに釣銭パックを準備するものとする。
【００４８】
当該釣銭パックが準備できたことを確認した中央制御システム１０は、釣銭封入容器送出システム３０に対し、該当する釣銭封入容器２５０をトレー６１に乗せて釣銭封入システム２０へ送るよう指示する（Ｓ１００５）。釣銭封入システム２０では、トレー６１を移動させて釣銭封入容器２５０が所定の位置に到達したかどうか、ＲＦＩＤ読み取り部６７により情報を取得し、さらに封入台６２に至ったどうか封入台６２の下に設置されたＲＦＩＤ読み取り部（図示せず）で検知し（Ｓ１００６）、中央制御システム１０に知らせる。釣銭封入容器が所定の位置にあると検知すると、中央制御システム１０は釣銭パック送出システム４０へ指示し、これに従い釣銭パック投入部６４から釣銭パック６５を釣銭封入容器２５０に投入する（Ｓ１００７）。これについて、図１０、図１２に従って説明する。
【００４９】
釣銭パック送出システム４０では、釣銭パック駆動部６４５を作動させる（Ｓ１２０２）。釣銭封入システム２０では、ゲート６４１を開けるともに、当該の釣銭パック６５のすべてが釣銭パック投入部６４を通過したかどうか釣銭パックバーコード読み取り部６６で読み取り、釣銭パック６５の投入が完了したら（Ｓ１２０３、Ｓ１２０４）、釣銭パック駆動部６４５を停止させる（Ｓ１２０５）。なお、このとき、釣銭封入システム２０は、釣銭パックバーコード読み取り部６６で読み取ったバーコード情報に従い、例えばパック１確認欄２ＡＢ１１、パック２確認欄２ＡＢ１２の「封入」を「ＯＫ」へと変更する。なお、図７の封入データテーブル２０２１は、この欄が「ＯＫ」と変更になった後の状態を示すものである。
【００５０】
釣銭封入システム２０は、釣銭封入容器２５０へ釣銭パック６５の投入が完了したことを、中央制御システム１０へ送付する。中央制御システム１０は、釣銭封入容器２５０を釣銭封入容器出荷システム５０へ送付するよう釣銭封入システム２０へ指示を行う（Ｓ１００７）。釣銭封入システム２０は、釣銭封入容器送出部２０４４を駆動して、釣銭封入容器２５０を釣銭封入容器出荷システム５０へ送出する（Ｓ１００８、Ｓ１００９）。送出が終了すると、釣銭封入システム２０は、釣銭封入容器送出欄２Ａ６に「ＯＫ」を格納する。中央制御システム１０は、釣銭封入システム２０に対し、封入データテーブル２０２１の情報の送付を指示し、内容の確認を行う。このとき、該当する行の当該釣銭封入容器送出欄２Ａ６と、当該釣銭パック欄２A５のすべてが「ＯＫ」となっていることで、封入処理が正常に行われたことを確認するものとする。
【００５１】
このとき、釣銭封入容器扉２５０２が閉じることは上記説明の通りである。
【００５２】
以上説明したように、本願のシステムによれば、各店舗から、指定された日に必要とされる釣銭の金種別金額の指示を受けると、指定されたスーパーマーケットの店舗名、日付等を示す情報を容器に付加するとともに、貨幣側にも情報を付加し、容器に納める際に両者の整合を取ってから、指定した店舗へ送るため、正確でミスのない釣銭供給が可能となる。
【産業上の利用可能性】
【００５３】
本発明は釣銭封入装置に係わり、特に貨幣、貴重品を取り扱う装置において、人手を介することなく所定の容器に封入することが求められる装置において、非常に有用である。したがって、本願は、金融、保険のみならず、小売業をはじめとする各種産業において利用可能性を有している。
【符号の説明】
【００５４】
１０  中央制御システム
２０  釣銭封入システム
３０  釣銭封入容器送出システム
４０  釣銭パック送出システム
５０  釣銭封入容器出荷システム
【図１】
2014228981.tif 000003
【図２】
2014228981.tif 000004
【図３】
2014228981.tif 000005
【図４】
2014228981.tif 000006
【図５】
2014228981.tif 000007
【図６】
2014228981.tif 000008
【図７】
2014228981.tif 000009
【図８】
2014228981.tif 000010
【図９】
2014228981.tif 000011
【図１０】
2014228981.tif 000012
【図１１】
2014228981.tif 000013
【図１２】
2014228981.tif 000014